【手続補正書】
【提出日】平成28年7月15日(2016.7.15)
【手続補正１】
【補正対象書類名】特許請求の範囲
【補正対象項目名】全文
【補正方法】変更
【補正の内容】
【特許請求の範囲】
【請求項１】
コンピュータによって、一体化したプレゼンテーションオブジェクトを含む読取りモードユーザインターフェースを提供するステップであって、前記一体化したプレゼンテーションオブジェクトが、スライドプレースホルダおよび当該スライドプレースホルダに隣接するノートプレースホルダを含むステップと、
前記コンピュータによって、スライドコンテンツと、対応するコメントが存在するという指示を提供するように構成されるコメント吹き出しユーザインターフェースとを、前記スライドプレースホルダ内に表示するステップと、
前記コンピュータによって、前記スライドコンテンツの文脈を提供するプレゼンテーションノートと、前記対応するコメントを示すように構成されるコメントプレースホルダと、選択された場合に対応するコメントを削除する第１ユーザインタフェースコントロールと、選択された場合に対応するコメントへの返信を追加する第２ユーザインタフェースコントロールと、を前記隣接するノートプレースホルダ内に表示するステップと、
をコンピュータが実施する動作を含むコンピュータ実施方法。
【請求項２】
前記コンピュータによって、前記読取りモードユーザインターフェースにおいて前記スライドコンテンツと対話する入力を受け取るステップをさらに含む、請求項１に記載のコンピュータ実施方法。
【請求項３】
前記コンピュータによって、前記スライドコンテンツと対話する前記入力に応答して前記スライドコンテンツを処理するステップをさらに含む、請求項２に記載のコンピュータ実施方法。
【請求項４】
前記コンピュータによって、新たなプレゼンテーションオブジェクトに進む入力を受け取るステップであって、前記新たなプレゼンテーションオブジェクトが、コメント吹き出しユーザインターフェースを含まない新たなスライドプレースホルダと、文字又はコメントを含まない新たなノートプレースホルダとを含むステップをさらに含む、請求項３に記載のコンピュータ実施方法。
【請求項５】
前記新たなプレゼンテーションオブジェクトに進む入力に応答して、前記プレゼンテーションオブジェクトをビューの外に、及び前記新らたなプレゼンテーションオブジェクトを前記ビューの中に移動させるステップをさらに含む、
請求項４に記載のコンピュータ実施方法。
【請求項６】
スライド識別子と、コメント数識別子とを前記コメントプレースホルダ内に表示するステップをさらに含み、
前記コメント数識別子は、
前記スライド識別子によって識別されるスライドに利用可能な対応するコメントの数を提供する、
請求項１に記載のコンピュータ実施方法。
【請求項７】
コンピュータによって実行されたとき、前記コンピュータに
前記コンピュータと通信するディスプレイ上に、スライドコンテンツおよびプレゼンテーションノートを表す一体化したプレゼンテーションオブジェクト含む読取りモードユーザインターフェースを提示させる、コンピュータ実行可能命令を含み、
前記一体化したプレゼンテーションオブジェクトは、
前記スライドコンテンツと、対応するコメントが存在するという指示を提供するように構成されるコメント吹き出しユーザインターフェースと、を示すように構成されたスライドプレースホルダ、および
前記スライドコンテンツの文脈を提供するプレゼンテーションノートと、前記対応するコメントを示すように構成されるコメントプレースホルダと、選択された場合に対応するコメントを削除する第１ユーザインタフェースコントロールと、選択された場合に対応するコメントへの返信を追加する第２ユーザインタフェースコントロールとを示すように構成された、前記スライドプレースホルダに隣接するノートプレースホルダ
を含む、
コンピュータ可読記憶媒体。
【請求項８】
コンピュータによって実行されたとき、前記コンピュータに、
前記スライドコンテンツ内に含まれるハイパーリンクの選択を含む、前記スライドコンテンツと対話する入力を受け取らせ、
前記スライドコンテンツと対話する前記入力に応答して前記スライドコンテンツを処理させる
コンピュータ実行可能命令を含む、請求項７に記載のコンピュータ可読記憶媒体。
【請求項９】
前記コンピュータによって実行されたとき、コンピュータに
前記プレゼンテーションオブジェクトから新たなプレゼンテーションオブジェクトに進む入力を受け取らせ、
前記プレゼンテーションオブジェクトから前記新たなプレゼンテーションオブジェクトに進む前記入力に応答して、前記プレゼンテーションオブジェクトをビューの外におよび前記新たなプレゼンテーションオブジェクトを前記ビューの中に移動させるコンピュータ実行可能命令をさらに含む、請求項７に記載のコンピュータ可読記憶媒体。
【請求項１０】
前記新たなプレゼンテーションオブジェクトが、新たなスライドプレースホルダと新たなノートプレースホルダとを含み、前記新たなスライドプレースホルダが、新たなスライドコンテンツを含み、前記新たなノートプレースホルダが、空である、請求項９に記載のコンピュータ可読記憶媒体。
【請求項１１】
前記コンピュータによって実行されたとき、コンピュータに、
前記新たなプレゼンテーションオブジェクトをビューの中に移動させることによって、前記新たなスライドプレースホルダを前記スライドプレースホルダよりも大きくなるように拡大させる命令をさらに含む、請求項１０に記載のコンピュータ可読記憶媒体。
【請求項１２】
プロセッサーと、
コンピュータに実行されたときに実行される命令を記憶するコンピュータ可読記憶媒体と、を備える装置であって、
前記コンピュータ可読記憶媒体に記憶された命令は、前記装置に、
前記コンピュータと通信するディスプレイ上にプレゼンテーションアプリケーションプログラムの読取りモードユーザインターフェースにおいてスライドプレゼンテーションを提供することと、
第１の一体化したプレゼンテーションオブジェクトと、他の一体化したプレゼンテーションオブジェクトとを切り替えるナビゲーションモデルとを提供することと、
を実行させ、
前記読取りモードユーザインターフェースは、前記スライドプレゼンテーション内の第１スライドが、第１スライドプレースホルダと、当該第１スライドプレースホルダに隣接する第１ノートプレースホルダとを表すように構成され、
前記第１スライドプレースホルダは、第１スライドコンテンツと、対応するコメントが存在するという指示を提供するように構成されるコメント吹き出しユーザインターフェースと、を含み、
前記第１ノートプレースホルダは、前記第１スライドコンテンツの文脈を提供する第１プレゼンテーションノートと、前記対応するコメントを示すように構成されるコメントプレースホルダと、選択された場合に対応するコメントを削除するユーザインタフェースコントロールと、を含み、
前記第１スライドプレースホルダと、前記第１ノートプレースホルダとは、前記第１の一体化したプレゼンテーションオブジェクトに表される、
装置。
【請求項１３】
前記記憶された命令は、前記装置に、
前記読取りモードユーザインターフェースを介して、前記スライドプレゼンテーション内の前記第１スライドから、第２スライドプレースホルダ内に第２スライドコンテンツを含む第２の一体化したプレゼンテーションオブジェクトとして表される、前記スライドプレゼンテーション内の第２スライドに切り替える前記ナビゲーションモデルを利用する入力を受け取ることと、
前記スライドプレゼンテーション内の前記第１スライドから前記スライドプレゼンテーション内の第２スライドに切り替える前記ナビゲーションモデルを利用する前記入力を受け取ることに応答して、前記第１の一体化したプレゼンテーションオブジェクトをビューの外へおよび前記第２の一体化したプレゼンテーションオブジェクトを前記ビューの中に移動させることによって、前記スライドプレゼンテーションを前記第１スライドから前記第２スライドに進めことと、
をさらに実行させる、請求項１２に記載の装置。
【請求項１４】
前記記憶された命令は、前記装置に、
前記第２スライドプレースホルダを前記第１スライドプレースホルダより大きくなるように拡大させること、
をさらに実行させる、請求項１３に記載の装置。
【請求項１５】
前記記憶された命令は、前記装置に、
前記読取りモードユーザインターフェースを介して、前記スライドプレゼンテーション内の前記第２スライドから、第３スライドプレースホルダ内に第３スライドコンテンツを含み、第３ノートプレースホルダ内に第３プレゼンテーションノートを含む第３の一体化したプレゼンテーションオブジェクトとして表される、前記スライドプレゼンテーション内の第３スライドに切り替える前記ナビゲーションモデルを利用する入力を受け取ることと、
前記スライドプレゼンテーション内の前記第２スライドから前記スライドプレゼンテーション内の第３スライドに切り替える前記ナビゲーションモデルを利用する前記入力を受け取ることに応答して、前記第２の一体化したプレゼンテーションオブジェクトをビューの外へおよび前記第３の一体化したプレゼンテーションオブジェクトを前記ビューの中に移動させることによって、前記スライドプレゼンテーションを前記第２スライドから前記第３スライドに進めことと、
前記ビュー内の前記第３ノートプレースホルダに対応するように、前記第３スライドプレースホルダを前記第２スライドプレースホルダより縮小すること、
をさらに実行させる、請求項１３に記載の装置。
【請求項１６】
前記コメント吹き出しユーザインターフェースの選択を受け取ることに応答して、対応するコメントを表示すること、をさらに含む請求項１に記載のコンピュータ実施方法。
【請求項１７】
前記コメント吹き出しユーザインターフェースの選択を受け取ることに応答して、対応するコメントを強調すること、をさらに含む請求項１に記載のコンピュータ実施方法。
【請求項１８】
前記コンピュータによって、前記スライドコンテンツを処理することは、前記スライドコンテンツ内に含まれる１つまたは複数のオブジェクトに関連した１つまたは複数のアニメーションの再生を含む、請求項３に記載のコンピュータ実施方法。
【請求項１９】
前記コメント吹き出しユーザインターフェースの選択を受け取ることに応答して、対応するコメントを目立たせること、をさらに含む請求項１に記載のコンピュータ実施方法。
【請求項２０】
前記コメント吹き出しユーザインターフェースの選択を受け取ることに応答して、対応するコメントを注目されるようにすること、をさらに含む請求項１に記載のコンピュータ実施方法。